(57)【要約】【課題】生分解性で皮革成形した胴体と生分解性で皮革成形した音楽プレクトラム、及び構造タンパク質／アミノ酸を備えた自動演奏ロボット・ギターを提供する。【解決手段】本発明は、人型ロボットの機能と四肢を有し、弦楽器、特にギターを備えた胴体を有するロボットに関する。その本体は任意的に皮革成形してある。前記ロボットは、自らの手を使用してそれ自体単独で、器楽曲（楽器として）を演奏する。任意的に、本発明の構成要素は皮革成形で、通常は構造タンパク質／アミノ酸から構成される。加えて、前記構成要素は、動物及び植物用の栄養物である。前記構成要素は、Ｉ）現状有姿で構成してあり、またはＩＩ）形成し、及び／又は成形し、及び／又はマクロ分子的及びミクロ分子的に現状有姿で整列配置して、構成してあり、又はＡ）熱成形により、及び／又はＢ）電鋳により、及び／又はＣ）被処理タンパク質／アミノ酸の外部及び／又は内部の湿度の変化量を急激に又は緩やかに変えることにより、及び／又はアミノ酸鎖のポリペプチド配列のみにより構成してあり、又はｉ）電気泳動を用いて及び／又はｉｉ）電気高周波を用いて構成してある。タンパク質は、非タンパク質ポリマーを任意に含む。【選択図】  図１
2013532847.tif 000002
【特許請求の範囲】
【請求項１】
生分解性で皮革成形した胴体と、生分解性で皮革成形した音楽プレクトラムと、構造タンパク質／アミノ酸を備えた
自動演奏ロボット・ギター。
【請求項２】
それ自体で単独で、自らの弦を音楽的方法でかつ楽器として演奏する自動演奏弦楽器ロボットを備えた
請求項１の自動演奏ロボット・ギター。
【請求項３】
前記弦楽器ロボットが、ギターの形状を有する
請求項２の自動演奏ロボット・ギター。
【請求項４】
前記弦楽器ロボットが、生物工学的な人型ロボット・アンドロイドの四肢、すなわち腕、手、指（２）、脚および足を備え、さらに、本体、フィンガーボード（指板）およびヘッドストックを有する
請求項２及び３の自動演奏ロボット・ギター。
【請求項５】
前記弦楽器ロボットが、生物工学的な手と指（２）を使用して、単独で、音楽的に楽器として自らの弦を演奏しつま弾くことを特徴とする
請求項２及び４の自動演奏ロボット・ギター。
【請求項６】
前記ロボット・ギターの胴体が、皮革製で図像の形状を備えた
請求項３の自動演奏ロボット・ギター。
【請求項７】
前記ヘッドストックが、２つの自動回転する耳状の上部チューニング・キー（３）を備えた
請求項２、３、４の自動演奏ロボット・ギター。
【請求項８】
前記チューニング・キー（３）が、多様な機能、すなわちＡ）発光、Ｂ）映像・音声、Ｃ）照射、Ｄ）受容、Ｅ）投影、Ｆ）電磁、及びＧ）音栓の機能を備えてあり、また上記した多様な機能は６つの側方のチューニング・キー（４）の全てにも備えてある
請求項７の自動演奏ロボット・ギター。
【請求項９】
部分的に又は全体が生分解性である
請求項１の自動演奏ロボット・ギター。
【請求項１０】
その内部および／又は外部がタンパク質で構成することにより、部分的に又は全体が生分解性である
請求項１及び９の自動演奏ロボット・ギター。
【請求項１１】
その内部および／又は外部がアミノ酸で構成することにより、部分的に又は全体が生分解性である
請求項１及び９の自動演奏ロボット・ギター。
【請求項１２】
タンパク質／アミノ酸の素材が、Ｉ）現状有姿で、若しくはＩＩ）形成し、及び／又は成形し、及び／又はマクロ分子的及びミクロ分子的に現状有姿で整列配置して、構造化してあり、又はＡ）熱成形により及び／又はＢ）電鋳により及び／又はＣ）被処理タンパク質／アミノ酸の外部及び／又は内部の湿度の変化量を、急激に又は緩やかに変えることにより、及び／又はアミノ酸鎖のポリペプチド配列のみにより、及び／又はｉ）電気泳動を用いて、及び／又はｉｉ）電気高周波を用いて構造化してある
請求項１、１０および１１の自動演奏ロボット・ギター。
【請求項１３】
前記したタンパク質／アミノ酸成分が、非タンパク質ポリマーを任意に組み込める
請求項１０の自動演奏ロボット・ギター。
【請求項１４】
タンパク質からなるプレクトラムを備え、関連性のある生分解性のプレクトラムを構成するタンパク質成分に非タンパク質成分を任意に加えることができる
請求項１、９、および１０の自動演奏ロボット・ギター。
【請求項１５】
前記した皮革成形した胴体を備えた自動演奏ロボット・ギターが、現在の人型ロボットの従来技術において周知な全ての機能、例えば歩くこと、跳ぶこと、駆けること、這うこと、階段を登ること、転がること、聞くこと、多言語で話し歌うこと、及びその他の周知な五感の作用を備えた
請求項１の自動演奏ロボット・ギター。
【発明の詳細な説明】
【技術分野】
【０００１】
本発明は、生分解性で皮革成形した胴体と、生分解性で皮革成形した音楽プレクトラムと、構造タンパク質／アミノ酸を備えた自動演奏ロボット・ギターに関する。
【０００２】
本発明は、ＩＰＣ（国際特許分類）に従った産業活動に関するものであり、このＩＰＣにはセクションＡ＝生活必需品（［食品用蛋白質組成物］［玩具］）、セクションＢ＝処理操作（マニプレータ［ロボット］）、及びセクションＧ＝物理学（楽器）が含まれる。
【背景技術】
【０００３】
現代技術では、様々な実用的ロボットが作られている。
【０００４】
また、多様な材料から作られた弦楽器演奏用のプレクトラムも知られている。
【０００５】
例えば、トヨタ自動車株式会社は、バイオリンを演奏できるロボット用の手を開発している（特開２００９−０９０４２４）。
【先行技術文献】
【特許文献】
【０００６】
【特許文献１】特開２００９−０９０４２４
【発明の概要】
【発明が解決しようとする課題】
【０００７】
しかし、バイオリンはロボットではない。バイオリンは人型ロボットではないし、本発明（人型ロボット弦楽器、プレクトラム及び生分解性）のように腕や手があるわけでもなく、それ自身に触れることもない。
【課題を解決するための手段】
【０００８】
本発明の第１の特徴は、自動演奏ロボット・ギターであって、生分解性で皮革成形した胴体と、生分解性で皮革成形した音楽プレクトラムと、構造タンパク質／アミノ酸を備えた点にある。
【０００９】
本発明の第２の特徴は、第１の特徴において、それ自体で単独で、自らの弦を音楽的方法でかつ楽器で（楽器として）演奏する自動演奏弦楽器ロボットを備えた点にある。
【００１０】
本発明の第３の特徴は、第２の特徴において、前記弦楽器ロボットが、任意にギターの形状を有する点にある。
【００１１】
本発明の第４の特徴は、第２及び第３の特徴において、前記弦楽器ロボットが、生物工学的な人型ロボット・アンドロイドの四肢、すなわち腕、手、指、脚および足を備え、さらに、本体、フィンガーボード（指板）およびヘッドストックを有する点にある。
【００１２】
本発明の第５の特徴は、第２及び第４の特徴において、前記弦楽器ロボットが、生物工学的な手と指を使用して、単独で、音楽的に（楽器として）自らの弦を演奏しつま弾く点にある。
【００１３】
本発明の第６の特徴は、第３の特徴において、前記ロボット・ギターの胴体が、選択的に新規なものとして、皮革製で図像の形状を備えた点にある。
【００１４】
本発明の第７の特徴は、第２、第３、及び第４の特徴において、前記ヘッドストックが、２つの自動回転する耳状の上部チューニング・キーを備えた点にある。
【００１５】
本発明の第８の特徴は、第７の特徴において、前記チューニング・キーが、多様な機能、すなわちＡ）発光、Ｂ）映像・音声、Ｃ）照射、Ｄ）受容、Ｅ）投影、Ｆ）電磁、及びＧ）音栓の機能を備えてあり、また上記した多様な機能は、６つの側方のチューニング・キーの全てにも備えてある点にある。
【００１６】
本発明の第９の特徴は、第１の特徴において、部分的に又は全体が生分解性である点にある。
【００１７】
本発明の第１０の特徴は、第１及び第９の特徴において、その内部および／又は外部がタンパク質でできているため、部分的に又は全体が生分解性である点にある。
【００１８】
本発明の第１１の特徴は、第１及び第９の特徴において、その内部および／又は外部がアミノ酸でできているため、部分的に又は全体が生分解性である点にある。
【００１９】
本発明の第１２の特徴は、第１、第１０、及び第１１の特徴において、タンパク質／アミノ酸の素材が、Ｉ）現状有姿で、若しくはＩＩ）形成し、及び／又は成形し、及び／又はマクロ分子的及びミクロ分子的に現状有姿で整列配置して、構造化してあり、又はＡ）熱成形により及び／又はＢ）電鋳により及び／又はＣ）被処理タンパク質／アミノ酸の外部及び／又は内部の湿度の変化量を、急激に又は緩やかに変えることにより、及び／又はアミノ酸鎖のポリペプチド配列のみにより、及び／又はｉ）電気泳動を用いて、及び／又はｉｉ）電気高周波を用いて構造化してある点にある。
【００２０】
本発明の第１３の特徴は、第１０の特徴において、前記したタンパク質／アミノ酸成分が、非タンパク質ポリマーを任意に組み込める点にある。
【００２１】
本発明の第１４の特徴は、第１、第９、及び第１０の特徴において、タンパク質からなるプレクトラムを備え、関連性のある生分解性のプレクトラムを構成するタンパク質成分に非タンパク質成分を任意に加えることができる点にある。
【００２２】
本発明の第１５の特徴は、第１の特徴において、前記した皮革成形の胴体を備えた自動演奏ロボット・ギターが、現在の人型ロボットの従来技術において周知のすべての機能、例えば歩くこと、跳ぶこと、駆けること、這うこと、階段を登ること、転がること、聞くこと、多言語で話し歌うこと、及びその他の周知な五感の作用を備えた点にある。
【発明の効果】
【００２３】
本発明の自動演奏ロボット・ギターは、生分解性で皮革成形した胴体と生分解性で皮革成形した音楽プレクトラムと構造タンパク質／アミノ酸を備えているため、自動演奏楽器としてだけでなく、動物及び植物用の栄養素ともなる。
【図面の簡単な説明】
【００２４】
【図１】本発明の概念図である。
【発明を実施するための形態】
【００２５】
本発明の新規な点は、（弦楽器奏者の活動であるところの）アンドロイド・ロボット・ギター（図１）が、音楽器的方法で、それ自体で、周知技術である生物工学的な手と指を用いて演奏することである。プレクトラム（図示せず）を用いる点も新規である。さらに前記した構成要素は生分解性であり、皮革で形成できる。前記構成要素はさらに、動物及び植物用の栄養素となる。
【００２６】
ロボット・ギターは、特徴的で皮革製の図像（アイコン）の形状を有する本体（１）を備えている。そのヘッドストックは、２つの上部の自動回転する耳状のチューニング・キー（３）と、側方に設けた６つのチューニング・キー（４）を有し、両者は、公知の多様な機能（例えば、発光、映像・音声カメラ、ディスプレイなど）を備えている。
【００２７】
この発明は、部分的に及び／又は全体が生分解性である。なぜなら、その胴体の内部と外部の構成要素は、部分的に又は全体がタンパク質／アミノ酸を基礎に、一般的な方法により形成してある（作られている）からである。
【００２８】
すなわち、Ａ）熱成形により、及び／又はＢ）電鋳により、及び／又はＣ）被処理タンパク質／アミノ酸の外部及び／又は内部の湿度の変化量を、急激に又は緩やかに変えることにより、形成してもよい。上記したタンパク質／アミノ酸はさらに、特許請求の範囲に記載したように、動物及び植物の栄養物になる。
【００２９】
請求項１，１０、および１１による発明は、タンパク質／アミノ酸の素材の構造化を、Ｉ）現状有姿で、又はＩＩ）形成して、及び／又は成形して、及び／又はマクロ分子的及びミクロ分子的に現状有姿で整列配置して、行う。若しくはその構造化を、以下のＡ）熱成形、及び／またはＢ）電鋳、及び／又はＣ）被処理タンパク質／アミノ酸の外側及び／又は内側の湿度の変化量を急激に又は緩やかに変えることにより、及び／又はアミノ酸鎖のポリペプチド配列のみにより、及び／又はｉ）電気泳動を用いて、及び／又はｉｉ）電気高周波を用いて、行う。
【００３０】
皮革成形したロボット・ギターは、現在の人型ロボットの従来技術において周知のすべての機能を満たす（例えば、歩くこと、跳ぶこと、駆けること、這うこと、階段を登ること、転がること、聞くこと、多言語で話し歌うこと、及びその他の周知な五感の作用）。
【００３１】
本発明の特許請求の範囲は、以下の、ａ）アンドロイドの身体の四肢を有する、皮革成形したロボット・ギターの胴体（１）と、ｂ）ロボット・ギターのヘッドストックに備えた、耳状で多様な機能を有し自動回転するチューニング・キーと、ｃ）タンパク質からなるプレクトラム（ギターのピック）と、ｄ）本発明の構成要素は部分的に又は全体がタンパク質／アミノ酸でできているため、生分解性であり動物及び植物の栄養素であり、動物及び植物の栄養素としても用いられることと、ｅ）上記ａ）に備わった生物工学的な手（２）を用いて、自己演奏・自動運転できる上記ａ）の楽器と、を含む。
【産業上の利用可能性】
【００３２】
本発明は、生活必需品（［食品用蛋白質組成物］［玩具］）、処理操作（マニプレータ［ロボット］）、及び物理学（楽器）の分野で利用可能である。
【符号の説明】
【００３３】
１  胴体／本体
２  指
３  チューニング・キー
４  チューニング・キー
【図１】
2013532847.tif 000003
【国際調査報告】
2013532847.tif 000004
2013532847.tif 000005
2013532847.tif 000006
2013532847.tif 000007
2013532847.tif 000008
2013532847.tif 000009